(57)【要約】【課題】ユーザーの利便性を向上可能な画像読取装置を提供する。【解決手段】画像読取装置２は、記憶部６と、画像読取部２１と、受付部４２と、表示部４１と、制御部５とを備える。記憶部６は、複数のバーコード種の少なくとも一部の種類と指定情報とを対応付けて記憶する。画像読取部２１は、バーコード画像を含む原稿画像Ｍを読み取り、読取画像を取得する。受付部４２は、指定情報の入力を受け付ける。表示部４１は、少なくとも一部の種類を表示する。制御部５は、記憶部６と受付部４２と表示部４１とを制御する。バーコード画像が示すバーコードは、少なくとも一部の種類に属する。制御部５は、受付部４２が受け付けた指定情報に基づいて、指定情報に対応付けられた少なくとも一部の種類を表示部４１に表示させる。【選択図】図１
2019134220.tif 000002
【特許請求の範囲】
【請求項１】
複数のバーコード種の少なくとも一部の種類と指定情報とを対応付けて記憶する記憶部と、
バーコード画像を含む原稿画像を読み取り、読取画像を取得する画像読取部と、
前記指定情報の入力を受け付ける受付部と、
前記少なくとも一部の種類を表示する表示部と、
前記記憶部と前記受付部と前記表示部とを制御する制御部と
を備え、
前記バーコード画像が示すバーコードは、前記少なくとも一部の種類に属し、
前記制御部は、前記受付部が受け付けた前記指定情報に基づいて、前記指定情報に対応付けられた前記少なくとも一部の種類を前記表示部に表示させる、画像読取装置。
【請求項２】
前記指定情報は、前記読取画像の送信先を示す送信先情報を含む、請求項１に記載の画像読取装置。
【請求項３】
前記指定情報は、ユーザーが属する部門情報を含む、請求項１または請求項２に記載の画像読取装置。
【請求項４】
前記指定情報は、前記原稿画像のサイズ情報を含む、請求項１から請求項３のいずれか１項に記載の画像読取装置。
【請求項５】
前記制御部は、前記画像読取部が前記読取画像を取得する度に、前記画像読取部が前記読取画像を取得する際に設定されたバーコード種を、前記指定情報に対応付けて前記記憶部に記憶させる、請求項１から請求項４のいずれか１項に記載の画像読取装置。
【請求項６】
前記記憶部は、前記バーコード種ごとに、前記読取画像を取得する際に設定された回数を示す設定回数をさらに記憶し、
前記制御部は、前記設定回数に基づいて、前記少なくとも一部の種類を前記表示部に表示させる、請求項１から請求項５のいずれか１項に記載の画像読取装置。
【請求項７】
前記制御部は、前記設定回数が多い順に並ぶように、前記少なくとも一部の種類を前記表示部に表示させる、請求項６に記載の画像読取装置。
【請求項８】
前記制御部は、前記複数のバーコード種のうち、前記設定回数が所定回数以上である種類を前記表示部に表示させる、請求項６または請求項７に記載の画像読取装置。
【請求項９】
前記記憶部は、前記種類に対応付けて前記バーコードの桁数をさらに記憶し、
前記制御部は、前記桁数に基づいて、前記少なくとも一部の種類を前記表示部に表示させる、請求項１から請求項８のいずれか１項に記載の画像読取装置。
【請求項１０】
前記制御部は、所定条件を満たすか否かを判定し、前記所定条件を満たすと判定した場合、読み取られた数が多い種類の順に、前記少なくとも一部の種類を前記表示部に表示させ、
前記所定条件は、前記原稿画像に含まれる前記バーコード画像の数が第１閾値以上であり、かつ、前記原稿画像に含まれる前記バーコード画像が示すバーコードの種類の数が第２閾値以上であることを示す、請求項１から請求項９のいずれか１項に記載の画像読取装置。
【請求項１１】
複数のバーコード種の少なくとも一部の種類と指定情報とを対応付けて記憶することと、
バーコード画像を含む画像を読み取り、読取画像を取得することと、
前記指定情報の入力を受け付けることと、
受け付けた前記指定情報に基づいて、前記指定情報に対応付けられた前記少なくとも一部の種類を表示させることと
を包含し、
前記バーコード画像が示すバーコードは、前記少なくとも一部の種類に属する、画像読取方法。
【発明の詳細な説明】
【技術分野】
【０００１】
本発明は、画像読取装置および画像読取方法に関する。
【背景技術】
【０００２】
特許文献１に記載の文書管理装置は、バーコードを示すバーコード画像を含む原稿画像を読み取り、原稿画像情報を生成する。そして、原稿画像情報から、バーコード画像情報を抽出する。次に、バーコード画像情報を解析し、バーコード画像情報から文書ＩＤを取得する。さらに、取得された文書ＩＤに対応する電子文書の有無を判定する。
【先行技術文献】
【特許文献】
【０００３】
【特許文献１】特開２００５−１０７６９０号公報
【発明の概要】
【発明が解決しようとする課題】
【０００４】
特許文献１に記載の文書管理装置では、バーコードを読み取るためには、バーコードの読取条件を決定する必要がある。例えば、読み取るバーコードの種類を設定する必要がある。バーコードの読取条件をユーザーが決定する場合には、ユーザーの負荷が増大する。例えば、バーコードの種類が多い場合、複数のバーコードの種類から所望のバーコードを選択することは煩雑である。
【０００５】
本発明は上記課題に鑑みてなされたものであり、その目的はユーザーの利便性を向上可能な画像読取装置および画像読取方法を提供することにある。
【課題を解決するための手段】
【０００６】
本発明に係る画像読取装置は、記憶部と、画像読取部と、受付部と、表示部と、制御部とを備える。前記記憶部は、複数のバーコード種の少なくとも一部の種類と指定情報とを対応付けて記憶する。前記画像読取部は、バーコード画像を含む原稿画像を読み取り、読取画像を取得する。前記受付部は、前記指定情報の入力を受け付ける。前記表示部は、前記少なくとも一部の種類を表示する。前記制御部は、前記記憶部と前記受付部と前記表示部とを制御する。前記バーコード画像が示すバーコードは、前記少なくとも一部の種類に属する。前記制御部は、前記受付部が受け付けた前記指定情報に基づいて、前記指定情報に対応付けられた前記少なくとも一部の種類を前記表示部に表示させる。
【０００７】
本発明に係る画像読取方法は、複数のバーコード種の少なくとも一部の種類と指定情報とを対応付けて記憶することと、バーコード画像を含む画像を読み取り、読取画像を取得することと、前記指定情報の入力を受け付けることと、受け付けた前記指定情報に基づいて、前記指定情報に対応付けられた前記少なくとも一部の種類を表示させることとを包含する。前記バーコード画像が示すバーコードは、前記少なくとも一部の種類に属する。
【発明の効果】
【０００８】
本発明によれば、ユーザーの利便性を向上できる。
【図面の簡単な説明】
【０００９】
【図１】画像形成装置の構成を示す図である。
【図２】原稿画像の一例を示す図である。
【図３】記憶部が記憶するバーコードの種類と送信先情報とを示す図である。
【図４】表示部を示す図である。
【図５】本発明の実施形態１に係る画像読取ユニットの画像読取方法を示すフローチャートである。
【図６】記憶部が記憶するバーコードの種類と部門情報とを示す図である。
【図７】本発明の実施形態２に係る画像読取ユニットの画像読取方法を示すフローチャートである。
【図８】記憶部が記憶するバーコードの種類とサイズ情報とを示す図である。
【図９】本発明の実施形態３に係る画像読取ユニットの画像読取方法を示すフローチャートである。
【図１０】記憶部が記憶するバーコードの種類と設定回数とを示す図である。
【図１１】記憶部が記憶するバーコードの種類とバーコードの桁数とを示す図である。
【図１２】原稿画像の一例を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
［実施形態１］
まず、図１を参照して、本実施形態に係る画像形成装置１００の構成について説明する。図１は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１２】
図１に示すように、画像形成装置１００は、画像形成ユニット１、画像読取ユニット２および原稿搬送ユニット３を備える。画像形成ユニット１は、用紙Ｐに画像を形成する。画像読取ユニット２は、原稿Ｒに形成された原稿画像を読み取り、原稿画像情報を生成する。原稿搬送ユニット３は、原稿Ｒを画像読取ユニット２に搬送する。画像読取ユニット２は、「画像読取装置」の一例に相当する。
【００１３】
画像形成ユニット１は、給送部１２、搬送部Ｌ、トナー供給部１３、画像形成部１４、定着部１６および排出部１７を備える。画像形成部１４は、転写部１５を含む。
【００１４】
給送部１２は、用紙Ｐを搬送部Ｌへ供給する。搬送部Ｌは、用紙Ｐを転写部１５および定着部１６を経由して排出部１７まで搬送する。
【００１５】
トナー供給部１３は、画像形成部１４にトナーを供給する。画像形成部１４は、用紙Ｐに画像を形成する。
【００１６】
転写部１５は、中間転写ベルト１５４を備える。画像形成部１４が、中間転写ベルト１５４上にシアン色、マゼンタ色、イエロー色、および黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱および加圧し、用紙Ｐに形成された画像を用紙Ｐに定着する。排出部１７は、用紙Ｐを画像形成装置１００の外部へ排出する。
【００１８】
画像読取ユニット２は、画像読取部２１と、操作パネル４と、制御部５、記憶部６と、通信部７とを有する。
【００１９】
画像読取部２１は、ＬＥＤ（Ｌｉｇｈｔ  Ｅｍｉｔｔｉｎｇ  Ｄｉｏｄｅ）、コンタクトガラス、結像レンズ、およびイメージセンサーを備え、これらの各部材が一体化されたＣＩＳ（Ｃｏｎｔａｃｔ  Ｉｍａｇｅ  Ｓｅｎｓｏｒ）ユニットである。画像読取部２１は、バーコード画像を含む画像を読み取り、読取画像を取得する。
【００２０】
操作パネル４は、表示部４１と、受付部４２とを有する。表示部４１は、ソフトウェアボタンを表示可能なタッチパネル機能を有するディスプレーである。このようなタッチパネル機能は、表示部４１と受付部４２とを兼ね得る。表示部４１は、画像を表示する。
【００２１】
受付部４２は、例えば、タッチパネル機能と種々のハードウェアボタンとを有する。受付部４２には、ユーザーによる指定情報の入力を受け付ける。指定情報は、例えば、送信先情報、部門情報またはサイズ情報である。送信先情報は、読取画像の送信先を示す。送信先情報は、例えば、メールアドレスまたはファクシミリ番号である。部門情報は、画像形成装置１００を使用するユーザーが属する部門を示す。部門情報は、例えば、画像形成装置１００を使用する際のユーザーのログイン情報に基づいて特定される。サイズ情報は、原稿画像のサイズを示す。
【００２２】
制御部５は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部５は、記憶部６に記憶された制御プログラムをプロセッサーが読み出して実行することによって、画像形成装置１００の各部の動作を制御する。詳しくは、制御部５は、記憶部６と、受付部４２と、表示部４１とを制御する。
【００２３】
記憶部６は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部６は、外部メモリーを含んでいてもよい。外部メモリーは、リムーバブルメディアである。記憶部６は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部６は、各種のデータ、および、画像形成装置１００の各部の動作を制御するための制御プログラムを記憶する。制御プログラムは、制御部５によって実行される。
【００２４】
通信部７は、ネットワークを介して各種の外部端末装置と通信可能に接続される。ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、および電話回線を含む。外部端末装置は、例えば、パーソナルコンピューター、タブレット端末装置、およびファクシミリ装置を含む。通信部７は、ネットワークを介して外部端末装置との間で各種のデータを送受信する。各種のデータは、例えば、読取画像データ、印刷ジョブデータ、Ｅメールデータおよびファクシミリデータを含む。
【００２５】
次に、図２を参照して、原稿画像Ｍの一例について説明する。図２は、原稿画像Ｍの一例を示す図である。図２に示すように、原稿画像Ｍは、バーコード画像ＢＣを含む。バーコード画像ＢＣはバーコードＢを示す。
【００２６】
図１〜図４を参照して、本実施形態に係る画像形成装置１００についてさらに説明する。図３は、記憶部６が記憶するバーコードの種類と送信先情報とを示す図である。図４は、表示部４１を示す図である。
【００２７】
図３に示すように、記憶部６は、複数のバーコード種の少なくとも一部の種類と指定情報とを対応付けて記憶する。詳しくは、記憶部６は、複数のバーコード種の少なくとも一部の種類と、送信先情報とを対応付けて記憶する。記憶部６は、例えば、種類「ＣＯＤＥ１２８」とメールアドレス「ＡＡＡ@ａａａ．ｃｏｍ」とを対応づけて記憶する。
【００２８】
制御部５は、画像読取部２１が読取画像を取得する度に、画像読取部２１が読取画像を取得する際に設定されたバーコード種を、指定情報に対応付けて記憶部６に記憶させる。例えば、送信先としてメールアドレスを「ＡＡＡ@ａａａ．ｃｏｍ」に設定し、バーコードの種類を「ＣＯＤＥ１２８」に設定した場合、制御部５は、記憶部６に種類「ＣＯＤＥ１２８」と、メールアドレス「ＡＡＡ@ａａａ．ｃｏｍ」とを対応づけて記憶させる。したがって、記憶部６には、バーコードの種類に対する、送信先の履歴が記憶されている。
【００２９】
画像読取部２１は、原稿画像Ｍを読み取る際、ユーザーによって設定されたバーコードの種類に対応するバーコード画像ＢＣを読み取る。ユーザーは、操作パネル４を用いて、設定画面２００を操作することによって、バーコードの種類を設定することができる。
【００３０】
図４を参照して、バーコードの種類の設定画面２００について説明する。画像読取部２１が原稿画像Ｍを読み取る前に、制御部５は設定画面２００を表示部４１に表示させる。設定画面２００は、種類候補表示部２１０と、種類選択部２２０と、キャンセルボタン２３０と、送信ボタン２４０とを含む。
【００３１】
種類候補表示部２１０は、バーコードの種類の候補を示す。制御部５は、受付部４２が受け付けた指定情報に基づいて、指定情報に対応付けられた少なくとも一部の種類を表示部４１に表示させる。本実施形態では、指定情報は、送信先情報である。詳しくは、制御部５は、記憶部６に記憶されているバーコードの種類のうち、ユーザーによって設定された送信先に対応するバーコードの種類を表示部４１に表示させる。したがって、種類候補表示部２１０には、過去に同じ送信先に設定した際に設定されたバーコードの種類が表示される。
【００３２】
種類選択部２２０は、バーコードの種類の選択状態を示す。種類選択部２２０は、例えば、ラジオボタンである。ユーザーは、操作パネル４を用いて、種類選択部２２０の選択箇所２２２を変更することにより、種類候補表示部２１０に表示された複数のバーコードの種類のうち、いずれかを選択することができる。なお、原稿画像Ｍに複数のバーコード画像を含む場合は、ユーザーによって複数のバーコードが選択されてもよい。
【００３３】
キャンセルボタン２３０は、設定画面２００の表示をキャンセルするためのボタンである。例えば、ユーザーが設定したいバーコードの種類が、種類候補表示部２１０に表示されていない場合、ユーザーは、操作パネル４を用いて、キャンセルボタン２３０の接触操作が行う、その結果、制御部５は、設定画面２００の表示をキャンセルする。すなわち、制御部５は、設定画面２００とは別の画面を表示部４１に表示させる。
【００３４】
送信ボタン２４０は、原稿画像Ｍを送信するためのボタンである。ユーザーは、操作パネル４を用いて、原稿画像Ｍの送信をすることができる。詳しくは、ユーザーによって送信ボタン２４０の接触操作が行われると、制御部５は、画像読取部２１に原稿画像Ｍを読み取らせ、読取画像を取得させる。その際、制御部５は、種類選択部２２０によって選択されたバーコード種類のバーコード画像ＢＣを読み取る。そして、制御部５は、読取画像を送信先へ送信する。
【００３５】
図１〜図５を参照して、本発明の実施形態に係る画像読取ユニット２の画像読取方法について説明する。図５は、本発明の実施形態１に係る画像読取ユニット２の画像読取方法を示すフローチャートである。図５に示すステップＳ１０２〜ステップＳ１１２の処理が実行されることによって、原稿画像Ｍの読み取りが行われる。
【００３６】
ステップＳ１０２：制御部５が、送信先を設定する。詳しくは、ユーザーが操作パネル４を操作することによって、受付部４２が送信先情報の入力を受け付ける。そして、制御部５は、送信先情報が示す送信先を読取画像の送信先に設定する。処理は、ステップＳ１０４に進む。
【００３７】
ステップＳ１０４：制御部５は、バーコードの種類の候補を表示部４１に表示させる。詳しくは、制御部５は、バーコードの種類の設定画面２００（図４参照）を表示部４１に表示させる。処理は、ステップＳ１０６に進む。
【００３８】
ステップＳ１０６：制御部５が、バーコードの種類を設定する。詳しくは、ユーザーが設定画面２００を用いてバーコードの種類を選択すると、受付部４２がバーコードの種類を受け付ける。そして、制御部５は、ユーザーによって選択されたバーコードの種類をバーコード画像ＢＣを読み取る際のバーコードの種類に設定する。処理は、ステップＳ１０８に進む。
【００３９】
ステップＳ１０８：画像読取部２１が原稿画像Ｍを読み取り読取画像を取得する。詳しくは、ステップＳ１０８において設定されたバーコードの種類に対応するバーコード画像ＢＣを読み取る。処理は、ステップＳ１１０に進む。
【００４０】
ステップＳ１１０：通信部７が、読取画像を送信先に送信する。処理は、ステップＳ１１２に進む。
【００４１】
ステップＳ１１２：ステップＳ１０６において設定されたバーコードの種類を、送信先情報に対応づけて記憶する。処理は、終了する。
【００４２】
以上、図１〜図５を参照して説明したように、記憶部６は、複数のバーコード種の少なくとも一部の種類と指定情報とを対応付けて記憶する。さらに、制御部５は、受付部４２が受け付けた指定情報に基づいて、指定情報に対応付けられた少なくとも一部の種類を表示部４１に表示させる。すなわち、過去に使用された設定に基づいて、制御部５は、バーコードの種類の候補を表示部４１に表示させる。したがって、ユーザーは、バーコードの種類の選択が容易になる。その結果、ユーザーの利便性が向上する。
【００４３】
また、指定情報は、読取画像の送信先を示す送信先情報を含む。したがって、過去に使用された送信先に基づいて、制御部５は、バーコードの種類の候補を表示部４１に表示させる。同じ送信先には、同じ種類のバーコードが使用される可能性が高い。したがって、設定される可能性が高いバーコードの種類を、バーコードの種類の候補として制御部５は表示部４１に表示させることができる。
【００４４】
また、制御部５は、画像読取部２１が読取画像を取得する度に、画像読取部２１が読取画像を取得する際に設定されたバーコード種を、指定情報に対応付けて記憶部６に記憶させる。したがって、過去に使用された設定に基づいて、制御部５は、バーコードの種類の候補を表示部４１に表示させることができる。
【００４５】
［実施形態２］
図１、図２、図４および図６を参照して、実施形態２に係る画像形成装置１００について説明する。図６は、記憶部６が記憶するバーコードの種類と部門情報とを示す図である。実施形態２は、指定情報が部門情報である点が実施形態１と異なる。以下、実施形態２について実施形態１と異なる事項について説明し、実施形態１と重複する部分についての説明は省略する。
【００４６】
図６に示すように、記憶部６は、複数のバーコード種の少なくとも一部の種類と指定情報とを対応付けて記憶する。詳しくは、記憶部６は、複数のバーコード種の少なくとも一部の種類と、部門情報とを対応付けて記憶する。記憶部６は、例えば、種類「ＣＯＤＥ１２８」と部門「部門Ａ」とを対応づけて記憶する。
【００４７】
制御部５は、画像読取部２１が読取画像を取得する度に、画像読取部２１が読取画像を取得する際に設定されたバーコード種を、指定情報に対応付けて記憶部６に記憶させる。例えば、制御部５は、ユーザーが画像形成装置１００にログインした際のログイン情報に基づいて部門を特定する。例えば、部門Ａのユーザーが、バーコードの種類を「ＣＯＤＥ１２８」に設定した場合、制御部５は、記憶部６に種類「ＣＯＤＥ１２８」と、部門「部門Ａ」とを対応づけて記憶させる。したがって、記憶部６には、バーコードの種類に対する、部門の履歴が記憶されている。
【００４８】
実施形態１と同様に、画像読取部２１が原稿画像Ｍを読み取る前に、制御部５は設定画面２００（図４参照）を表示部４１に表示させる。制御部５は、受付部４２が受け付けた指定情報に基づいて、指定情報に対応付けられた少なくとも一部の種類を表示部４１に表示させる。本実施形態では、指定情報は、部門情報である。詳しくは、制御部５は、記憶部６に記憶されているバーコードの種類のうち、ユーザーが属する部門に対応するバーコードの種類を表示部４１に表示させる。したがって、種類候補表示部２１０には、過去に同じ部門に属するユーザーによって設定されたバーコードの種類が表示される。
【００４９】
図１、図２、図４、図６および図７を参照して、本発明の実施形態２に係る画像読取ユニット２の画像読取方法について説明する。図７は、本発明の実施形態２に係る画像読取ユニット２の画像読取方法を示すフローチャートである。図７に示すステップＳ２０２〜ステップＳ２１４の処理が実行されることによって、原稿画像Ｍの読み取りが行われる。ステップＳ２０２、ステップＳ２０６〜ステップＳ２１２は、図５に示す、ステップＳ１０２〜ステップＳ１１０と同様の処理であるため、重複する部分についての説明は省略する。
【００５０】
ステップＳ２０４において、制御部５は、画像形成装置１００を操作するユーザーが所属する部門を特定する。例えば、制御部５は、ユーザーが画像形成装置１００にログインした際のログイン情報に基づいて部門を特定する。
【００５１】
ステップＳ２１４において、ステップＳ２０８において設定されたバーコードの種類を、部門情報に対応づけて記憶する。
【００５２】
本実施形態では、指定情報は、ユーザーが属する部門情報である。過去に同じ部門に属するユーザーによって設定されたバーコードの種類に基づいて、制御部５は、バーコードの種類の候補を表示部４１に表示させる。同じ部門のユーザーは、同じ種類のバーコードが使用される可能性が高い。したがって、設定される可能性が高いバーコードの種類を、バーコードの種類の候補として制御部５は表示部４１に表示させることができる。
【００５３】
［実施形態３］
図１、図２、図４および図８を参照して、実施形態３に係る画像形成装置１００について説明する。図８は、記憶部６が記憶するバーコードの種類とサイズ情報とを示す図である。実施形態３は、指定情報がサイズ情報である点が実施形態１と実施形態２と異なる。以下、実施形態３について実施形態１と実施形態２と異なる事項について説明し、実施形態１と実施形態２と重複する部分についての説明は省略する。
【００５４】
図８に示すように、記憶部６は、複数のバーコード種の少なくとも一部の種類と指定情報とを対応付けて記憶する。詳しくは、記憶部６は、複数のバーコード種の少なくとも一部の種類と、サイズ情報とを対応付けて記憶する。サイズ情報は、原稿画像Ｍのサイズを示す。記憶部６は、例えば、種類「ＣＯＤＥ１２８」とサイズ「サイズＡ」とを対応づけて記憶する。
【００５５】
制御部５は、画像読取部２１が読取画像を取得する度に、画像読取部２１が読取画像を取得する際に設定されたバーコード種を、指定情報に対応付けて記憶部６に記憶させる。例えば、制御部５は、記憶部６に種類「ＣＯＤＥ１２８」と、サイズ「サイズＡ」とを対応づけて記憶させる。したがって、記憶部６には、バーコードの種類に対する、原稿画像Ｍのサイズの履歴が記憶されている。
【００５６】
実施形態１と実施形態２と同様に、画像読取部２１が原稿画像Ｍを読み取る前に、制御部５は設定画面２００（図４参照）を表示部４１に表示させる。制御部５は、受付部４２が受け付けた指定情報に基づいて、指定情報に対応付けられた少なくとも一部の種類を表示部４１に表示させる。本実施形態では、指定情報は、サイズ情報である。詳しくは、制御部５は、記憶部６に記憶されているバーコードの種類のうち、原稿画像Ｍのサイズに対応するバーコードの種類を表示部４１に表示させる。したがって、種類候補表示部２１０には、過去に同じサイズの原稿画像Ｍを読みとった際に設定されたバーコードの種類が表示される。
【００５７】
図１、図２、図４、図８および図９を参照して、本発明の実施形態３に係る画像読取ユニット２の画像読取方法について説明する。図９は、本発明の実施形態３に係る画像読取ユニット２の画像読取方法を示すフローチャートである。図９に示すステップＳ３０２〜ステップＳ３１４の処理が実行されることによって、原稿画像Ｍの読み取りが行われる。ステップＳ３０２、ステップＳ３０６〜ステップＳ３１２は、図５に示す、ステップＳ１０２〜ステップＳ１１０と同様の処理であるため、重複する部分についての説明は省略する。
【００５８】
ステップＳ３０４において、制御部５は、原稿画像Ｍのサイズを特定する。原稿画像Ｍのサイズは、例えば、制御部５は、ユーザーが操作パネル４を用いて指定された原稿画像Ｍのサイズを、原稿画像Ｍのサイズと特定する。
【００５９】
ステップＳ３１４において、ステップＳ３０８において設定されたバーコードの種類を、サイズ情報に対応づけて記憶する。
【００６０】
本実施形態では、指定情報は、原稿画像Ｍのサイズ情報である。過去に同じ原稿サイズに設定されたバーコードの種類に基づいて、制御部５は、バーコードの種類の候補を表示部４１に表示させる。同じサイズの原稿画像Ｍには、同じ種類のバーコードが使用される可能性が高い。したがって、設定される可能性が高いバーコードの種類を、バーコードの種類の候補として制御部５は表示部４１に表示させることができる。
【００６１】
なお、記憶部６は、バーコード種ごとに、読取画像を取得する際に設定された回数を示す設定回数をさらに記憶することが好ましい。図１０は、記憶部６が記憶するバーコードの種類と設定回数とを示す図である。
【００６２】
図１０に示すように、記憶部６は、バーコードの種類ごとに、読取画像を取得する際に設定されたバーコードの種類の設定回数を記憶する。例えば、種類「ＣＯＤＥ１２８」は、設定回数が３５回である。
【００６３】
制御部５は、設定回数に基づいて、少なくとも一部の種類を表示部４１に表示させる。詳しくは、制御部５は、設定回数に基づいて、バーコードの種類の候補を表示部４１に表示させる。より詳しくは、制御部５は、設定回数が多い順に並ぶように、バーコードの種類の候補を表示部４１に表示させる。例えば、図４に示すように、バーコードの種類の候補として、バーコードの種類を「ＣＯＤＥ１２８」、「ＣＯＤＥ３９」、および「ＮＷ−７」の順に並ぶように、を表示部４１に表示させる。
【００６４】
あるいは、制御部５は、複数のバーコード種のうち、設定回数が所定回数以上である種類を表示部４１に表示させてもよい。所定回数は、例えば、１０回である。図４に示すように、制御部５は、設定回数が１０回以上であるバーコードの種類「ＣＯＤＥ１２８」、「ＣＯＤＥ３９」、および「ＮＷ−７」を、バーコードの種類の候補として表示部４１に表示させる。
【００６５】
なお、記憶部６は、バーコードの種類に対応付けてバーコードの桁数をさらに記憶することが好ましい。図１１は、記憶部６が記憶するバーコードの種類とバーコードの桁数とを示す図である。制御部５は、バーコードの桁数に基づいて、少なくとも一部の種類を表示部４１に表示させる、詳しくは、制御部５は、バーコードの桁数に基づいて、バーコードの種類の候補を表示部４１に表示させる。例えば、ユーザーが操作パネル４を用いてバーコードの桁数を設定する。制御部５は、ユーザーが設定したバーコードの桁数に対応するバーコードの種類を、バーコードの種類の候補として表示部４１に表示させる。例えば、バーコードの桁数が１３桁に設定された場合、制御部５は、桁数が１３桁であるバーコードの種類「ＣＯＤＥ１２８」および「ＪＡＮ」をバーコードの種類の候補として表示部４１に表示させる。
【００６６】
なお、原稿画像Ｍは、複数のバーコード画像を有していてもよい。図１２は、原稿画像Ｍの一例を示す図である。図１２に示すように、原稿画像Ｍは、複数のバーコード画像ＢＣを有する。複数のバーコード画像ＢＣは、バーコード画像ＢＣ１〜ＢＣ１０を含む。バーコード画像ＢＣ１〜ＢＣ１０は、バーコードＢ１〜Ｂ１０を示す。
【００６７】
バーコードＢ１〜Ｂ１０は、複数の種類を含む。詳しくは、バーコードＢ１、Ｂ６の種類は、「ＮＷ−７」である。バーコードＢ２、Ｂ７の種類は、「ＣＯＤＥ３９」である。バーコードＢ３〜Ｂ５、Ｂ８〜Ｂ１０の種類は、「ＣＯＤＥ１２８」である。
【００６８】
制御部５は、原稿画像Ｍに複数のバーコード画像ＢＣを含み、かつ、複数の種類のバーコードを含む場合、制御部５は、読み取られた数が多い種類の順に、バーコードの種類の候補を表示部４１に表示させる。詳しくは、制御部５は、所定条件を満たすか否かを判定し、所定条件を満たすと判定した場合、読み取られた数が多い種類の順に、少なくとも一部の種類を表示部４１に表示させる。所定条件は、原稿画像Ｍに含まれるバーコード画像の数が第１閾値以上であり、かつ、原稿画像Ｍに含まれるバーコード画像が示すバーコードの種類の数が第２閾値以上であることを示す。第１閾値は、例えば、１０である。第２閾値は、例えば、３である。すなわち、制御部５は、原稿画像Ｍにバーコード画像ＢＣの数が１０個以上であり、バーコードの種類の数が３種類以上である場合、読み取られた数が多い種類の順に、バーコードの種類の候補を表示部４１に表示させる。
【００６９】
以上、図面（図１〜図１２）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
（１）図１を参照して説明したように、本発明の実施形態では、画像形成装置１００がカラー複合機であるが、本発明はこれに限定されない。例えば、画像形成装置１００が、スキャナーでもよいし、モノクロ複写機でもよい。
【００７０】
（２）図１、図２および図１２を参照して説明したように、バーコードＢが１次元バーコードであるが、本発明はこれに限定されない。バーコードＢが１次元バーコードおよび２次元バーコードの少なくとも一方であればよい。例えば、バーコードＢが２次元バーコードでもよい。２次元バーコードは、例えば、ＱＲコード（登録商標）である。
【００７１】
（３）指定情報は、実施形態１では送信先情報、実施形態２では部門情報、実施形態３では原稿画像Ｍのサイズ情報であったが、本発明はこれに限定されない。例えば、指定情報は、送信先情報、部門情報および原稿画像Ｍのサイズ情報の少なくとも２つを組み合わせてもよい。
【符号の説明】
【００７２】
２        画像読取ユニット（画像読取装置）
５        制御部
６        記憶部
２１      画像読取部
４１      表示部
４２      受付部
Ｍ        原稿画像
【図１】
2019134220.tif 000003
【図２】
2019134220.tif 000004
【図３】
2019134220.tif 000005
【図４】
2019134220.tif 000006
【図５】
2019134220.tif 000007
【図６】
2019134220.tif 000008
【図７】
2019134220.tif 000009
【図８】
2019134220.tif 000010
【図９】
2019134220.tif 000011
【図１０】
2019134220.tif 000012
【図１１】
2019134220.tif 000013
【図１２】
2019134220.tif 000014